(57)【要約】【課題】光学部品を良好に冷却でき、かつ、投影画像を良好に維持できるプロジェクタを提供する。【解決手段】プロジェクタ１は、光源装置と、光源装置から射出された光束を画像情報に応じて変調する光変調装置４５１と、光変調装置４５１を含む複数の光学部品を内部に収納配置する光学部品用筐体４６と、光変調装置４５１にて変調された光束を拡大投射する投射光学装置３と、光源装置、光学部品用筐体４６、および投射光学装置３を内部に収納配置する外装筐体２とを備える。光学部品用筐体４６には、内外に空気を流通可能とする空気流通用開口部４６１１が形成されている。光学部品用筐体４６外部には、空気流通用開口部４６１１を介して光学部品用筐体４６内部に向かう塵埃を捕捉可能とする塵埃捕捉部材７が配設されている。【選択図】図４
2008170854.tif 000002
【特許請求の範囲】
【請求項１】
光源装置と、前記光源装置から射出された光束を画像情報に応じて変調する光変調装置と、前記光変調装置を含む複数の光学部品を内部に収納配置する光学部品用筐体と、前記光変調装置にて変調された光束を拡大投射する投射光学装置と、前記光源装置、前記光学部品用筐体、および前記投射光学装置を内部に収納配置する外装筐体とを備えたプロジェクタであって、
前記光学部品用筐体には、内外に空気を流通可能とする空気流通用開口部が形成され、
前記光学部品用筐体外部に配設され、前記空気流通用開口部を介して前記光学部品用筐体内部に向かう塵埃を捕捉可能とする塵埃捕捉部材を備えていることを特徴とするプロジェクタ。
【請求項２】
請求項１に記載のプロジェクタにおいて、
前記外装筐体には、前記投射光学装置から拡大投射される光束を通過させるための光束通過用開口部が形成され、
前記塵埃捕捉部材は、前記外装筐体内部において、前記光束通過用開口部から前記空気流通用開口部に至る空気の流路中に配設されていることを特徴とするプロジェクタ。
【請求項３】
請求項１または請求項２に記載のプロジェクタにおいて、
前記外装筐体には、内部に空気を導入するための吸気口が形成され、
前記塵埃捕捉部材は、前記外装筐体内部において、前記吸気口から前記空気流通用開口部に至る空気の流路中に配設されていることを特徴とするプロジェクタ。
【請求項４】
請求項１から請求項３のいずれかに記載のプロジェクタにおいて、
前記外装筐体には、前記塵埃捕捉部材を内部に挿通可能とする部材挿通用開口部が形成され、
前記塵埃捕捉部材は、
塵埃を捕捉可能とする塵埃捕捉部材本体と、
前記塵埃捕捉部材本体を支持する支持部材とを備え、
前記支持部材は、
前記塵埃捕捉部材本体を支持しつつ前記部材挿通用開口部に挿通可能とする支持部本体と、
前記支持部本体が前記部材挿通用開口部に挿通された状態で、前記塵埃捕捉部材を前記外装筐体に装着するとともに前記部材挿通用開口部を閉塞する弾性材料から構成される閉塞部と、
前記塵埃捕捉部材が前記外装筐体に装着された状態で、前記部材挿通用開口部から前記外装筐体外部に突出する把持部とを備えていることを特徴とするプロジェクタ。
【請求項５】
請求項１から請求項４のいずれかに記載のプロジェクタにおいて、
前記塵埃捕捉部材は、粘着剤が塗布された複数の粘着シートを備え、前記複数の粘着シートが積層された構成を有していることを特徴とするプロジェクタ。
【請求項６】
請求項５に記載のプロジェクタにおいて、
前記複数の粘着シートは、粘着剤が塗布された粘着面が凹凸状に形成されていることを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調する光変調装置（液晶パネル）と、光変調装置を含む複数の光学部品を内部に収納配置する光学部品用筐体（ライトガイド）と、光変調装置にて変調された光束を拡大投射する投射光学装置と、光源装置、光学部品用筐体、および投射光学装置を内部に収納配置する外装筐体とを備えたプロジェクタが知られている（例えば、特許文献１参照）。
特許文献１に記載のプロジェクタでは、光変調装置等の光学部品を冷却するために、以下に示す冷却構造が採用されている。
すなわち、特許文献１に記載のプロジェクタでは、光学部品用筐体には、内外に空気を流通可能とする開口部（空気流通用開口部）が形成されている。そして、外装筐体内部に冷却ファンを配設し、冷却ファンを駆動することで、光学部品用筐体に形成された開口部を介して光学部品用筐体内部に空気を導入させ、光変調装置等の光学部品を冷却している。
【０００３】
【特許文献１】特開２００３−２１５７１１号公報
【発明の開示】
【発明が解決しようとする課題】
【０００４】
ところで、特許文献１に記載のプロジェクタのように、内部冷却として冷却ファンにより絶えず外気を導入する構成とした場合には、外装筐体内部に負圧が発生しやすいものである。このように外装筐体内部に負圧が発生した場合には、外装筐体に形成された隙間を介して、外装筐体外部の塵埃が内部に侵入しやすい。そして、塵埃が外装筐体内部に侵入し、光学部品用筐体内部に導入される空気に混入した場合には、空気とともに光学部品用筐体内部に塵埃が導入され、光学部品用筐体内部に配設された光変調装置等の光学部品に塵埃が付着し、プロジェクタから投射されスクリーン等に表示される投影画像に劣化が生じてしまう、という問題がある。
【０００５】
本発明の目的は、光学部品を良好に冷却でき、かつ、投影画像を良好に維持できるプロジェクタを提供することにある。
【課題を解決するための手段】
【０００６】
本発明のプロジェクタは、光源装置と、前記光源装置から射出された光束を画像情報に応じて変調する光変調装置と、前記光変調装置を含む複数の光学部品を内部に収納配置する光学部品用筐体と、前記光変調装置にて変調された光束を拡大投射する投射光学装置と、前記光源装置、前記光学部品用筐体、および前記投射光学装置を内部に収納配置する外装筐体とを備えたプロジェクタであって、前記光学部品用筐体には、内外に空気を流通可能とする空気流通用開口部が形成され、前記光学部品用筐体外部に配設され、前記空気流通用開口部を介して前記光学部品用筐体内部に向かう塵埃を捕捉可能とする塵埃捕捉部材を備えていることを特徴とする。
【０００７】
ここで、塵埃捕捉部材としては、塵埃を捕捉可能とする部材であれば、いずれの部材でもよく、例えば、塵埃等を付着させるための粘着剤が塗布された粘着物や、塵埃等を静電的に吸着するための静電吸着物（帯電体）等が例示できる。
また、塵埃捕捉部材の配設位置としては、光学部品用筐体外部において、空気流通用開口部を介して光学部品用筐体内部に侵入する塵埃を捕捉可能であれば、外装筐体内部に配設する他、外装筐体外部に配設しても構わない。
さらに、塵埃捕捉部材としては、プロジェクタ内部において、１つのみ配設してもよく、複数配設しても構わない。
【０００８】
本発明では、プロジェクタにおいて、光学部品用筐体には、内外に空気を流通可能とする空気流通用開口部が形成されている。このことにより、空気流通用開口部を介して光学部品用筐体内外に空気を流通させることで、光学部品用筐体内部に配設された光変調装置を含む光学部品を良好に冷却できる。
また、プロジェクタは、光学部品用筐体外部に配設され、空気流通用開口部を介して光学部品用筐体内部に侵入する塵埃を捕捉可能とする塵埃捕捉部材を備えている。このことにより、空気流通用開口部を介して光学部品用筐体内部に侵入する恐れのある塵埃、例えば、外装筐体に形成された隙間を介して外装筐体外部から内部に侵入した塵埃や、外装筐体内部に既に存在していた塵埃等を塵埃捕捉部材により捕捉できる。このため、光学部品用筐体内部に配設された光変調装置等の光学部品に塵埃が付着することを防止でき、投影画像を良好に維持できる。よって、プロジェクタの長寿命化が図れる。
したがって、光学部品を良好に冷却でき、かつ、投影画像を良好に維持できるため、本発明の目的を達成できる。
【０００９】
本発明のプロジェクタでは、前記外装筐体には、前記投射光学装置から拡大投射される光束を通過させるための光束通過用開口部が形成され、前記塵埃捕捉部材は、前記外装筐体内部において、前記光束通過用開口部から前記空気流通用開口部に至る空気の流路中に配設されていることが好ましい。
ところで、外装筐体に形成される隙間としては、投射光学装置から拡大投射される光束を通過させるための光束通過用開口部が比較的に大きいものである。すなわち、外装筐体内部に負圧が発生した場合には、光束通過用開口部を介して外装筐体内部に侵入する塵埃の量が比較的に多いものとなる。
本発明では、塵埃捕捉部材は、外装筐体内部において、光束通過用開口部から空気流通用開口部に至る空気の流路中、例えば、外装筐体内部に負圧が発生した際に、光束通過用開口部から空気流通用開口部に向けて流れる空気の流路中に配設されている。このことにより、光束通過用開口部を介して外装筐体外部から内部に侵入し、空気流通用開口部へ向かう塵埃を塵埃捕捉部材にて捕捉することができる。したがって、外装筐体内部に侵入する塵埃の量が比較的に多くなる光束通過用開口部を介した塵埃を塵埃捕捉部材にて捕捉できるので、上述した光学部品を良好に冷却でき、かつ、投影画像を良好に維持できるという効果を好適に図れる。
【００１０】
本発明のプロジェクタでは、前記外装筐体には、内部に空気を導入するための吸気口が形成され、前記塵埃捕捉部材は、前記外装筐体内部において、前記吸気口から前記空気流通用開口部に至る空気の流路中に配設されていることが好ましい。
本発明では、塵埃捕捉部材は、外装筐体内部において、吸気口から空気流通用開口部に至る空気の流路中、例えば、外装筐体内部に配設される冷却ファンやダクト等によって形成される吸気口から空気流通用開口部に至る空気の流路中に配設されている。このことにより、例えば、吸気口にエアフィルタを配設しておけば、エアフィルタと塵埃捕捉部材との２段階で、吸気口を介して外装筐体外部から内部に侵入し、空気流通用開口部へ向かう塵埃を捕捉することができる。したがって、上述した光学部品を良好に冷却でき、かつ、投影画像を良好に維持できるという効果を好適に図れる。
【００１１】
本発明のプロジェクタでは、前記外装筐体には、前記塵埃捕捉部材を内部に挿通可能とする部材挿通用開口部が形成され、前記塵埃捕捉部材は、塵埃を捕捉可能とする塵埃捕捉部材本体と、前記塵埃捕捉部材本体を支持する支持部材とを備え、前記支持部材は、前記塵埃捕捉部材本体を支持しつつ前記部材挿通用開口部に挿通可能とする支持部本体と、前記支持部本体が前記部材挿通用開口部に挿通された状態で、前記塵埃捕捉部材を前記外装筐体に装着するとともに前記部材挿通用開口部を閉塞する弾性材料から構成される閉塞部と、前記塵埃捕捉部材が前記外装筐体に装着された状態で、前記部材挿通用開口部から前記外装筐体外部に突出する把持部とを備えていることが好ましい。
【００１２】
本発明では、塵埃捕捉部材は、塵埃捕捉部材本体と、支持部本体、閉塞部、および把持部を有する支持部材とを備える。そして、閉塞部は、弾性材料から構成され、支持部本体が外装筐体に形成された部材挿通用開口部に挿通された状態で、塵埃捕捉部材を外装筐体に装着するとともに、部材挿通用開口部を閉塞する。また、把持部は、塵埃捕捉部材が外装筐体に装着された状態で、部材挿通用開口部から外装筐体外部に突出する。このことにより、塵埃捕捉部材は、利用者により把持部が把持されつつ外装筐体に形成された部材挿通用開口部に挿抜されることで、外装筐体に対して着脱自在な構成となる。このため、塵埃捕捉部材を利用者が容易に交換可能な構造を実現できる。
また、塵埃捕捉部材が外装筐体に装着された状態では、閉塞部により部材挿通用開口部が閉塞されるため、部材挿通用開口部を介して外装筐体内部に塵埃が侵入することを防止できる。すなわち、上述したような塵埃捕捉部材を容易に交換可能な構造とした場合であっても、外装筐体内部に塵埃を侵入させることなく、上述した光学部品を良好に冷却でき、かつ、投影画像を良好に維持できるという効果を好適に図れる。
【００１３】
本発明のプロジェクタでは、前記塵埃捕捉部材は、粘着剤が塗布された複数の粘着シートを備え、前記複数の粘着シートが積層された構成を有していることが好ましい。
本発明では、塵埃捕捉部材は、複数の粘着シートが積層された構成を有しているので、複数の粘着シートのうち塵埃捕捉部材の表面に位置する粘着シートが剥がされることで、新たな粘着シート（粘着面）が生成されることとなる。このため、利用者は、プロジェクタを所定期間、使用し、複数の粘着シートのうち塵埃捕捉部材の表面に位置する粘着シートの粘着力が低減した際に、該粘着シートを剥がすことで、新たな粘着シート（粘着面）を生成できる。したがって、塵埃捕捉部材全体を交換する必要がなく、粘着シートを１枚ずつ剥がすことで対応でき、利便性の向上が図れる。
【００１４】
本発明のプロジェクタでは、前記複数の粘着シートは、粘着剤が塗布された粘着面が凹凸状に形成されていることが好ましい。
本発明では、複数の粘着シートは、粘着面が凹凸状に形成されているので、粘着面の表面積を増加させ、塵埃の捕捉量を向上させることができる。
【発明を実施するための最良の形態】
【００１５】
以下、本発明の実施の一形態を図面に基づいて説明する。
〔プロジェクタの構成〕
図１は、プロジェクタ１の内部を示す斜視図である。具体的に、図１は、プロジェクタ１の内部を前面上方側から見た斜視図である。なお、以下では、説明の便宜上、プロジェクタ１からの画像光の投射方向をＺ軸とし、該Ｚ軸に直交する２つの軸をそれぞれＸ軸（水平軸）およびＹ軸（鉛直軸）とする。以下の図も同様である。
プロジェクタ１は、光源から射出された光束を画像情報に応じて変調して画像光を形成し、形成した画像光をスクリーン（図示略）上に拡大投射するものである。このプロジェクタ１は、図１に示すように、外装筐体２、投射光学装置としての投射レンズ３、光学ユニット４、電源ユニット５、冷却装置６、塵埃捕捉部材７、および図示しない制御基板等で大略構成される。
【００１６】
〔外装筐体の構成〕
外装筐体２は、図１では一部を省略しているが、略直方体形状を有する箱状の筐体であり、内部に投射レンズ３、光学ユニット４、電源ユニット５、冷却装置６、および前記制御基板等を収納配置する。この外装筐体２は、図１に示すように、プロジェクタ１における天面（＋Ｙ軸方向側の面）部分、前面（＋Ｚ軸方向側の面）部分の一部、側面（Ｘ軸方向に交差する各面）部分の一部、および背面（−Ｚ軸方向側の面）部分の一部を形成するアッパーケース２１（図４参照）と、プロジェクタ１における底面（−Ｙ軸方向側の面）部分、前面部分の一部、側面部分の一部、および背面部分の一部を形成するロアーケース２２とを備える。そして、アッパーケース２１およびロアーケース２２がねじ等により接続することで、略直方体形状を有する箱状の外装筐体２が構成される。
【００１７】
図２は、ロアーケース２２の構成を示す斜視図である。具体的に、図２は、塵埃捕捉部材７をロアーケース２２から取り外した状態を前面下方側から見た分解斜視図である。
ロアーケース２２の底面部分において、外装筐体２内部の投射レンズ３の配設位置に対応する部分（前面から見て右前方側）には、図２に示すように、冷却装置６によりプロジェクタ１外部の冷却空気を内部に取り込むための吸気口２２１が形成されている。また、吸気口２２１には、図２に示すように、外部から塵埃等の異物の侵入を防止するためのエアフィルタＡＦを取り付け可能に構成されている。
【００１８】
また、ロアーケース２２の底面部分において、吸気口２２１の周縁部分には、図２に示すように、塵埃捕捉部材７を内部に挿通可能とする部材挿通用開口部２２２が形成されている。
より具体的に、部材挿通用開口部２２２は、図２に示すように、第１の部材挿通用開口部２２２Ａと、２つの第２の部材挿通用開口部２２２Ｂ，２２２Ｃとで構成される。
第１の部材挿通用開口部２２２Ａは、図２に示すように、吸気口２２１の＋Ｚ軸方向側に位置してＸ軸方向に延出し、塵埃捕捉部材７を構成する後述する第１の塵埃捕捉部材を内部に挿通可能とする開口部である。
また、各第２の部材挿通用開口部２２２Ｂ，２２２Ｃは、図２に示すように、吸気口２２１の−Ｚ軸方向側で＋Ｘ軸方向側（前面から見て右後方側）および−Ｚ軸方向側で−Ｘ軸方向側（前面から見て左後方側）に位置してＸ軸方向に延出し、塵埃捕捉部材７を構成する後述する２つの第２の塵埃捕捉部材をそれぞれ内部に挿通可能とする開口部である。
【００１９】
また、ロアーケース２２の前面部分において、外装筐体２内部の投射レンズ３の配設位置に対応する部分（前面から見て右側）には、図１または図２に示すように、＋Ｙ軸方向端縁から−Ｙ軸方向に向けて窪む平面視円弧形状の切り欠き２２３Ａが形成されている。なお、アッパーケース２１の前面部分にも同様の切り欠き２２３Ｂ（図４参照）が形成されており、アッパーケース２１およびロアーケース２２を組み立てることで、アッパーケース２１の切り欠き２２３Ｂとロアーケース２２の切り欠き２２３Ａとが接続し、平面視略円形状の開口部２２３（図４参照）が形成される。この開口部２２３は、投射レンズ３から拡大投射される光束を通過させるための光束通過用開口部として機能する。
【００２０】
また、ロアーケース２２の側面部分（前面から見て左側の側面部分）において、＋Ｚ軸方向側には、図２に示すように、冷却装置６によりプロジェクタ１内部の空気を排出するための排気口２２４が形成されている。なお、具体的な図示は省略したが、アッパーケース２１の側面部分にも同様の排気口が形成されている。
【００２１】
〔投射レンズの構成〕
投射レンズ３は、筒状の鏡筒内に複数のレンズが収納された組レンズとして構成され、図１に示すように、外装筐体２において、＋Ｚ軸方向側で＋Ｘ軸方向側（前面から見て右前方側）に先端が光束通過用開口部２２３に対向するように配設される。そして、投射レンズ３は、光学ユニット４にて形成された画像光を光束通過用開口部２２３を介してスクリーン等に拡大投射する。
【００２２】
〔光学ユニットの構成〕
図３は、光学ユニット４の光学系を模式的に示す図である。
光学ユニット４は、前記制御基板による制御の下、画像情報に応じて画像光を形成するものであり、図１に示すように、外装筐体２の−Ｘ軸方向側の側面部分から＋Ｘ軸方向側の側面部分に向けて延出し、延出方向先端部分が外装筐体２の前面部分に向けて屈曲して延出する平面視略Ｌ字形状を有している。この光学ユニット４は、図３に示すように、光源装置４１と、均一照明光学装置４２と、色分離光学装置４３と、リレー光学装置４４と、光学装置４５と、光学部品用筐体４６とを備える。
【００２３】
光源装置４１は、前記制御基板による制御の下、点灯して平行光を均一照明光学装置４２に向けて射出する。この光源装置４１は、図３に示すように、光源ランプ４１１１およびリフレクタ４１１２が一体化された光源装置本体４１１と、平行化レンズ４１２と、ランプハウジング４１３とを備えて構成される。
光源ランプ４１１１としては、ハロゲンランプやメタルハライドランプ、または高圧水銀ランプが用いられることが多い。
リフレクタ４１１２としては、光源ランプ４１１１から放射された光束を所定位置に収束するように反射する楕円面リフレクタを用いている。なお、リフレクタ４１１２としては、楕円面リフレクタの他、光源ランプ４１１１から射出された光束を略平行光として反射するパラボラリフレクタを用いてもよい。この場合には、リフレクタ４１１２の光射出前方側に配置される平行化レンズ４１２を省略できる。
【００２４】
平行化レンズ４１２は、リフレクタ４１１２にて反射された収束光を略平行化して射出する。
ランプハウジング４１３は、光源装置本体４１１および平行化レンズ４１２を支持固定するとともに光学部品用筐体４６に接続し、光源装置本体４１１および平行化レンズ４１２を光学部品用筐体４６に対する所定位置（光源装置４１から射出される光束の中心軸と光学部品用筐体４６内に設置された照明光軸Ａ（図３）とが一致する位置）に位置決めする。
【００２５】
均一照明光学装置４２は、光源装置４１から射出された光束を、光学装置４５を構成する後述する液晶パネルの画像形成領域に略均一に照明するための光学系である。この均一照明光学装置４２は、図３に示すように、第１レンズアレイ４２１と、第２レンズアレイ４２２と、偏光変換素子４２３と、重畳レンズ４２４とを備える。
第１レンズアレイ４２１は、入射光軸方向から見て略矩形状の輪郭を有する第１小レンズが、入射光軸に対し略直交する面内においてマトリクス状に配列された構成を有している。各第１小レンズは、光源装置４１から射出される光束を複数の部分光束に分割している。
第２レンズアレイ４２２は、第１レンズアレイ４２１と略同様な構成を有しており、第２小レンズがマトリクス状に配列された構成を有している。この第２レンズアレイ４２２は、重畳レンズ４２４とともに、第１レンズアレイ４２１の各第１小レンズの像を光学装置４５の後述する液晶パネル上に結像させる機能を有している。
【００２６】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００２７】
色分離光学装置４３は、図３に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。
リレー光学装置４４は、図３に示すように、入射側レンズ４４１、リレーレンズ４４３、および反射ミラー４４２，４４４を備え、色分離光学装置４３で分離された赤色光を光学装置４５の後述する赤色光用の液晶パネルまで導く機能を有している。
【００２８】
この際、色分離光学装置４３のダイクロイックミラー４３１では、均一照明光学装置４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。
このフィールドレンズ４２５は、第２レンズアレイ４２２から射出された各部分光束をその中心軸（主光線）に対して平行な光束に変換する。他の緑色光用、赤色光用の液晶パネルの光束入射側に設けられたフィールドレンズ４２５も同様である。
【００２９】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学装置４４を通り、さらにフィールドレンズ４２５を通って光学装置４５の後述する赤色光用の液晶パネルに達する。
なお、赤色光にリレー光学装置４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００３０】
光学装置４５は、図３に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、これら液晶パネル４５１の光束入射側および光束射出側にそれぞれ配置される入射側偏光板４５２および射出側偏光板４５３と、クロスダイクロイックプリズム４５４とを備える。
【００３１】
入射側偏光板４５２は、色分離光学装置４３で分離された各色光のうち、偏光変換素子４２３で揃えられた偏光方向と略同一方向の偏光方向を有する偏光光のみ透過させ、その他の光束を吸収するものであり、具体的な図示は省略するが、透光性基板上に偏光膜が貼付されて構成されている。
液晶パネル４５１は、一対の透明ガラス基板に電気光学物質である液晶が密閉封入された構成を有し、画像情報に応じて画像形成領域内にある前記液晶の配向状態を制御し、入射側偏光板４５２から射出された偏光光束の偏光方向を変調する。
射出側偏光板４５３は、入射側偏光板４５２と略同様の構成を有し、液晶パネル４５１の画像形成領域から射出された光束のみ透過させ、その他の光束を吸収する。
【００３２】
クロスダイクロイックプリズム４５４は、射出側偏光板４５３から射出された色光毎に変調された光学像を合成してカラー画像（画像光）を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され各射出側偏光板４５３を介した各色光を反射する。このようにして、各色光が合成されてカラー画像が形成される。そして、クロスダイクロイックプリズム４５４で形成されたカラー画像は、上述した投射レンズ３によりスクリーン等に拡大投射される。
【００３３】
光学部品用筐体４６は、図１または図３に示すように、平面視略Ｌ字形状を有し、内部に所定の照明光軸Ａ（図３）が設定され、上述した各光学部品４１〜４５を照明光軸Ａに対する所定位置に配置する。この光学部品用筐体４６は、図１または図３に示すように、部品収納部材４６１と、蓋状部材４６２（図１）とを備える。
部品収納部材４６１は、具体的な図示は省略したが、＋Ｙ軸方向側（上方側）に開口部を有する容器状に形成され、前記開口部を介して、ランプハウジング４１３と接続する一端側から順に各光学部品４２，４３が収納配置され、前記一端側と反対側の他端側に光学装置４５が収納配置される。
この部品収納部材４６１において、−Ｙ軸方向側には、光学装置４５を構成する各液晶パネル４５１の配設位置に対応して、開口部４６１１（図４参照）がそれぞれ形成されている。これら開口部４６１１は、部品収納部材４６１に対して蓋状部材４６２が組み合わされた状態で、光学部品用筐体４６内外に空気を流通可能とする空気流通用開口部として機能する。
【００３４】
蓋状部材４６２は、図１に示すように、部品収納部材４６１の上方側の開口部を閉塞する部材であり、部品収納部材４６１の平面形状と略同一の平面形状を有する。
この蓋状部材４６２において、光学装置４５の配設位置に対応する部分には、平面視矩形状の切り欠き４６２１が形成されている。この切り欠き４６２１は、部品収納部材４６１に対して蓋状部材４６２が組み合わされた状態で、光学部品用筐体４６内外に空気を流通可能とする空気流通用開口部として機能する。
そして、光学部品用筐体４６（光学ユニット４）は、具体的な図示は省略したが、外装筐体２におけるロアーケース２２の底面に対して、所定距離、離間した状態でねじ等により固定される。
【００３５】
〔電源ユニットの構成〕
電源ユニット５は、プロジェクタ１を構成する各構成部材（例えば、光源ランプ４１１１、前記制御基板等）に電力を供給するものであり、光学ユニット４のＬ字内側部分に配設される。この電源ユニット５は、図１に示すように、電源ケーブルを介して外部から供給された電力を前記各構成部材に供給する電源ブロック５１と、電源ブロック５１から供給された電力に基づいて光源ランプ４１１１を点灯させるランプ駆動ブロック５２とを備える。これら電源ブロック５１およびランプ駆動ブロック５２は、図１に示すように、Ｘ軸方向に延出する直方体形状の箱状部材５１Ａ，５２Ａによって周囲をそれぞれ覆われている。また、箱状部材５１Ａ，５２Ａには、具体的な図示は省略するが、−Ｘ軸方向端面に内部の空気を外部に排出するための排出口が形成されている。
なお、箱状部材５１Ａ，５２Ａとしては、種々の部材を採用でき、例えば、絶縁性を有する部材や、アルミニウム等の金属製の部材等が例示できる。
【００３６】
〔冷却装置の構成〕
冷却装置６は、プロジェクタ１内部を冷却する装置である。この冷却装置６は、図１に示すように、吸気装置６１と、排気装置６２とを備える。
吸気装置６１は、ロアーケース２２の底面に形成された吸気口２２１を介してプロジェクタ１外部から冷却空気を吸入し、プロジェクタ１内部の発熱部材（例えば、液晶パネル４５１等）に冷却空気を送風して冷却する。この吸気装置６１は、図１に示すように、一対のシロッコファン６１１Ａ，６１１Ｂと、一対のシロッコファン６１１Ａ，６１１Ｂの吸入口６１１１に接続される吸入側ダクト６１２と、一対のシロッコファン６１１Ａ，６１１Ｂの吐出口６１１２に接続される吐出側ダクト６１３とを備える。
【００３７】
吸入側ダクト６１２は、ロアーケース２２の底面に形成された吸気口２２１に対応してロアーケース２２の底面内側に設置され、吸気口２２１を介してプロジェクタ１外部からプロジェクタ１内部に導入された冷却空気を一対のシロッコファン６１１Ａ，６１１Ｂに導く。
一対のシロッコファン６１１Ａ，６１１Ｂは、図１に示すように、投射レンズ３の側方にそれぞれ位置し、各吸入口６１１１が吸入側ダクト６１２の各流出口に接続するようにロアーケース２２の底面内側に設置される。そして、これらシロッコファン６１１Ａ，６１１Ｂは、前記制御基板により駆動制御され、駆動することで吸気口２２１および吸入側ダクト６１２を介してプロジェクタ１外部の冷却空気を吸入し、吸入した冷却空気を吐出口６１１２からロアーケース２２の底面に沿って−Ｚ軸方向側（後方側）に吐出する。
【００３８】
吐出側ダクト６１３は、図１に示すように、光学ユニット４の下方側に配置され、２つのダクト部６１３Ａ，６１３Ｂで構成される。これらダクト部６１３Ａ，６１３Ｂは、一対のシロッコファン６１１Ａ，６１１Ｂの各吐出口６１１２とそれぞれ接続し、一対のシロッコファン６１１Ａ，６１１Ｂから吐出された冷却空気を光学装置４５の下方側に導き、部品収納部材４６１の底面に形成された各空気流通用開口部４６１１を介して、液晶パネル４５１の下方側から上方に向けて流通させる（図４参照）。そして、冷却空気が液晶パネル４５１の下方側から上方に向けて流通する際に、液晶パネル４５１や各偏光板４５２，４５３等が冷却される。冷却後の空気は、蓋状部材４６２に形成された空気流通用開口部４６２１を介して光学部品用筐体４６外部に流出する。
この吐出側ダクト６１３において、ロアーケース２２に形成された各第２の部材挿通用開口部２２２Ｂ，２２２Ｃに対応する位置には、塵埃捕捉部材７を構成する後述する第２の塵埃捕捉部材を内部に挿通可能とする開口部６１３１（図４参照）が形成されている。
【００３９】
排気装置６２は、プロジェクタ１内部に滞留する温められた空気を吸入し、外装筐体２に形成された排気口２２４を介してプロジェクタ１外部に排出する。この排気装置６２は、図１に示すように、軸流ファン６２１と、排気ダクト６２２とを備える。
軸流ファン６２１は、図１に示すように、光源装置４１に対向して配設され、空気の吐出方向が＋Ｚ軸方向に対して−Ｘ軸方向側に向くように傾斜配置されている。そして、軸流ファン６２１は、前記制御基板により駆動制御され、駆動することで、吸気装置６１により液晶パネル４５１等に送風された後の空気や、光源装置４１近傍の空気を吸入して排気ダクト６２２に吐出する。
排気ダクト６２２は、軸流ファン６２１の吐出口６２１１と接続し、軸流ファン６２１から吐出された空気を外装筐体２に形成された排気口２２４を介してプロジェクタ１外部に排出する。また、排気装置６２により吐出された空気の他、電源ユニット５の各箱状部材５１Ａ，５２Ａに形成された各排出口を介した空気（電源ブロック５１およびランプ駆動ブロック５２にて温められた空気）も、排気口２２４を介してプロジェクタ１外部に排出される。
【００４０】
〔塵埃捕捉部材の構成〕
図４は、塵埃捕捉部材７の配設位置を模式的に示す図である。
図５および図６は、塵埃捕捉部材７の構成を示す図である。具体的に、図５は、塵埃捕捉部材７を構成する第２の塵埃捕捉部材７２を粘着面７Ａ側（＋Ｚ軸方向側）から見た斜視図である。図６は、第２の塵埃捕捉部材７２をＹＺ平面にて切断した断面図である。
塵埃捕捉部材７は、部品収納部材４６１に形成された各空気流通用開口部４６１１を介して光学部品用筐体４６内部に侵入する塵埃を捕捉する部材である。この塵埃捕捉部材７は、図２または図４に示すように、第１の塵埃捕捉部材７１と、２つの第２の塵埃捕捉部材７２とを備える。
【００４１】
２つの第２の塵埃捕捉部材７２は、図２または図４に示すように、ロアーケース２２に形成された第２の部材挿通用開口部２２２Ｂ，２２２Ｃを介してロアーケース２２にそれぞれ着脱自在に取り付けられる。各第２の塵埃捕捉部材７２は、同様の構成を有し、図５または図６に示すように、塵埃捕捉部材本体７２１と、支持部材７２２とを備える。
塵埃捕捉部材本体７２１は、図６に示すように、片面側（図６中、＋Ｚ軸方向側）に粘着剤が塗布された複数の粘着シート７２１１がＺ軸方向に積層された構成を有している。すなわち、複数の粘着シート７２１１のうち、表面側（図６中、＋Ｚ軸方向側）に位置する粘着シート７２１１Ａの＋Ｚ軸方向側の面が粘着面７Ａとなり、粘着面７Ａに塵埃が付着することとなる。また、粘着面７Ａに塵埃が付着し粘着シート７２１１Ａを交換する際には、粘着シート７２１１Ａを剥がすことで、新たに表面側（図６中、＋Ｚ軸方向側）に位置する粘着シート７２１１Ｂの＋Ｚ軸方向側の面が粘着面７Ａとなる。
また、各粘着シート７２１１の粘着面７Ａは、凹凸状に形成されている。より具体的に、各粘着シート７２１１は、図５に示すように、Ｘ軸方向に伸縮可能な蛇腹状に形成されている。
【００４２】
支持部材７２２は、ゴム等の所定の弾性率を有する弾性部材で構成され、塵埃捕捉部材本体７２１を支持するとともに、外装筐体２内部の所定位置に塵埃捕捉部材本体７２１を配置する部材である。この支持部材７２２は、図５または図６に示すように、支持部本体７２２１と、把持部７２２２とが一体的に構成されたものである。
支持部本体７２２１は、図５または図６に示すように、平面視（Ｚ軸方向から見た場合）矩形状の板体で構成されている。より具体的に、支持部本体７２２１は、その外形寸法（Ｘ軸方向の長さ寸法および厚み寸法（Ｚ軸方向の厚み寸法））がロアーケース２２の第２の部材挿通用開口部２２２Ｂ，２２２Ｃの開口寸法（Ｘ軸方向の開口寸法、Ｚ軸方向の開口寸法）と略同一となるように形成されている。
【００４３】
この支持部本体７２２１において、＋Ｚ軸方向端面には、図５または図６に示すように、＋Ｚ軸方向端面略全体に亘って−Ｚ軸方向に窪む平面視矩形状の凹部７２２１Ａが形成されている。そして、支持部本体７２２１は、凹部７２２１Ａ内部に塵埃捕捉部材本体７２１が収納配置され、塵埃捕捉部材本体７２１を支持する。
また、この支持部本体７２２１において、Ｚ軸方向両端面における−Ｙ軸方向側には、図５または図６に示すように、Ｘ軸方向に平行に延出し、外装筐体２内部の所定位置に塵埃捕捉部材本体７２１を配置するための閉塞部としての一対の突条部７２２１Ｂ，７２２１Ｃがそれぞれ形成されている。
一対の突条部７２２１Ｂは、互いの離間寸法（Ｙ軸方向の離間寸法）がロアーケース２２の厚み寸法と略同一となるように形成されている。なお、一対の突条部７２２１Ｃも同様である。
【００４４】
把持部７２２２は、第２の塵埃捕捉部材７２をロアーケース２２に対して着脱する際に、利用者により把持される部分である。この把持部７２２２は、図５または図６に示すように、支持部本体７２２１の−Ｙ軸方向端部から−Ｙ軸方向に突出し、突出方向先端部分がＺ軸方向に沿って互いに離間するように延出する側面視（Ｘ軸方向から見た場合）Ｔ字形状を有する。
【００４５】
以上のような構成により、第２の塵埃捕捉部材７２は、以下に示すように、ロアーケース２２に対して着脱される。
利用者は、把持部７２２２を把持した状態で、外装筐体２外部から部材挿通用開口部２２２（第２の部材挿通用開口部２２２Ｂ，２２２Ｃ）を介して外装筐体２内部に支持部本体７２２１を挿通する。部材挿通用開口部２２２を介して外装筐体２内部に支持部本体７２２１を挿通すると、一対の突条部７２２１Ｂ，７２２１Ｃの＋Ｙ軸方向側の突条部が部材挿通用開口部２２２の周縁部分（外装筐体２の外面）に当接する。そして、利用者は、一対の突条部７２２１Ｂ，７２２１Ｃの−Ｙ軸方向側の突条部が部材挿通用開口部２２２の周縁部分（外装筐体２の外面）に当接するまで、外装筐体２内部に支持部本体７２２１をさらに挿通する。
【００４６】
この状態では、部材挿通用開口部２２２の周縁部分が一対の突条部７２２１Ｂ，７２２１Ｃにより＋Ｙ軸方向側および−Ｙ軸方向側から挟持され、部材挿通用開口部２２２周縁部分に第２の塵埃捕捉部材７２が固定される。また、一対の突条部７２２１Ｂ，７２２１Ｃにより、部材挿通用開口部２２２と第２の塵埃捕捉部材７２との隙間が閉塞され、部材挿通用開口部２２２を介して外装筐体２外部から塵埃が侵入することが防止される。
以上のように、ロアーケース２２に対して第２の塵埃捕捉部材７２を装着した状態では、図４に示すように、支持部本体７２２１が吐出側ダクト６１３の開口部６１３１を介して吐出側ダクト６１３内部に挿通され、塵埃捕捉部材本体７２１の粘着面７Ａが各シロッコファン６１１Ａ，６１１Ｂの吐出口６１１２に対向する。
すなわち、第２の塵埃捕捉部材７２は、吸気口２２１から各空気流通用開口部４６１１に至る空気の流路中に配設され、該流路を辿る空気に混入した塵埃を捕捉する。
なお、第２の塵埃捕捉部材７２をロアーケース２２から取り外す際には、利用者は、把持部７２２２を把持した状態で、ロアーケース２２から第２の塵埃捕捉部材７２を引き抜く。
【００４７】
第１の塵埃捕捉部材７１は、図２または図４に示すように、ロアーケース２２に形成された第１の部材挿通用開口部２２２Ａを介してロアーケース２２に着脱自在に取り付けられる。この第１の塵埃捕捉部材７１は、第２の塵埃捕捉部材７２に対してサイズが異なるのみであり、第２の塵埃捕捉部材７２と同様の構成であるため、詳細な説明を省略する。
また、第１の塵埃捕捉部材７１のロアーケース２２に対する着脱方法は、上述した第２の塵埃捕捉部材７２のロアーケース２２に対する着脱方法と同様である。
そして、ロアーケース２２に対して第１の塵埃捕捉部材７１を装着した状態では、図４に示すように、粘着面７Ａが光束通過用開口部２２３に対向する。
すなわち、第１の塵埃捕捉部材７１は、外装筐体２に形成される光束通過用開口部２２３と光学部品用筐体４６に形成される各空気流通用開口部４６１１との間に配設され、光束通過用開口部２２３から各空気流通用開口部４６１１に向かう空気に混入した塵埃を捕捉する。
【００４８】
上述した本実施形態によれば、以下の効果がある。
本実施形態では、プロジェクタ１において、光学部品用筐体４６には、内外に空気を流通可能とする空気流通用開口部４６１１，４６２１が形成されている。このことにより、空気流通用開口部４６１１，４６２１を介して光学部品用筐体４６内外に空気を流通させることで、光学部品用筐体４６内部に配設された液晶パネル４５１や各偏光板４５２，４５３等の光学部品を良好に冷却できる。
また、プロジェクタ１は、光学部品用筐体４６外部に配設され、空気流通用開口部４６１１を介して光学部品用筐体４６内部に侵入する塵埃を捕捉可能とする塵埃捕捉部材７を備えている。このことにより、空気流通用開口部４６１１を介して光学部品用筐体４６内部に侵入する恐れのある塵埃、例えば、外装筐体２に形成された隙間（光束通過用開口部２２３、吸気口２２１等）を介して外装筐体２外部から内部に侵入した塵埃や、外装筐体２内部に既に存在していた塵埃等を塵埃捕捉部材７により捕捉できる。このため、光学部品用筐体４６内部に配設された液晶パネル４５１や各偏光板４５２，４５３等の光学部品に塵埃が付着することを防止でき、プロジェクタ１から投射されスクリーン等に表示される投影画像を良好に維持できる。よって、プロジェクタ１の長寿命化が図れる。
したがって、液晶パネル４５１や各偏光板４５２，４５３等の光学部品を良好に冷却でき、かつ、投影画像を良好に維持できる。
【００４９】
ところで、外装筐体２に形成される隙間としては、光束通過用開口部２２３が比較的に大きいものである。すなわち、冷却装置６が駆動し、各ファン６１１Ａ，６１１Ｂによる吸気作用（吸気による真空化）により、外装筐体２内部に負圧が発生した場合には、光束通過用開口部２２３を介して外装筐体２内部に侵入する塵埃の量が比較的に多いものとなる。
本実施形態では、塵埃捕捉部材７のうち、第１の塵埃捕捉部材７１は、外装筐体２内部において、光束通過用開口部２２３および空気流通用開口部４６１１の間、すなわち、外装筐体２内部に負圧が発生した際に、光束通過用開口部２２３から空気流通用開口部４６１１に向けて流れる空気の流路中に配設されている。このことにより、光束通過用開口部２２３を介して外装筐体２外部から内部に侵入し、空気流通用開口部４６１１へ向かう塵埃を第１の塵埃捕捉部材７１にて捕捉することができる。したがって、外装筐体２内部に侵入する塵埃の量が比較的に多くなる光束通過用開口部２２３を介した塵埃を第１の塵埃捕捉部材７１にて捕捉できるので、上述した光学部品を良好に冷却でき、かつ、投影画像を良好に維持できるという効果を好適に図れる。
【００５０】
また、塵埃捕捉部材７は、第１の塵埃捕捉部材７１の他、吸気口２２１から各空気流通用開口部４６１１に至る空気の流路中に配設される２つの第２の塵埃捕捉部材７２を備えている。このことにより、エアフィルタＡＦと各第２の塵埃捕捉部材７２との２段階で塵埃を捕捉することができ、吸気口２２１を介して外装筐体２内部に塵埃が侵入することをより確実に防止でき、上述した光学部品を良好に冷却でき、かつ、投影画像を良好に維持できるという効果をさらに好適に図れる。
【００５１】
ここで、塵埃捕捉部材７は、塵埃捕捉部材本体７２１と、一対の突条部７２２１Ｂ，７２２１Ｃが一体的に形成された支持部本体７２２１、および把持部７２２２を有する弾性材料から構成された支持部材７２２とを備える。そして、一対の突条部７２２１Ｂ，７２２１Ｃは、支持部本体７２２１が外装筐体２に形成された部材挿通用開口部２２２に挿通された状態で、塵埃捕捉部材７を外装筐体２に装着するとともに、部材挿通用開口部２２２を閉塞する。また、把持部７２２２は、塵埃捕捉部材７が外装筐体２に装着された状態で、部材挿通用開口部２２２から外装筐体２外部に突出する。このことにより、塵埃捕捉部材７は、利用者により把持部７２２２が把持されつつ外装筐体２に形成された部材挿通用開口部２２２に挿抜されることで、外装筐体２に対して着脱自在な構成となる。このため、塵埃捕捉部材７を利用者が容易に交換可能な構造を実現できる。
また、塵埃捕捉部材７が外装筐体２に装着された状態では、一対の突条部７２２１Ｂ，７２２１Ｃにより部材挿通用開口部２２２が閉塞されるため、部材挿通用開口部２２２を介して外装筐体２内部に塵埃が侵入することを防止できる。すなわち、上述したような塵埃捕捉部材７を容易に交換可能な構造とした場合であっても、外装筐体２内部に塵埃を侵入させることなく、上述した光学部品を良好に冷却でき、かつ、投影画像を良好に維持できるという効果を好適に図れる。
【００５２】
ここで、塵埃捕捉部材本体７２１は、複数の粘着シート７２１１が積層された構成を有しているので、複数の粘着シート７２１１のうち、塵埃捕捉部材７の表面に位置する粘着シート７２１１Ａが剥がされることで、新たな粘着シート７２１１Ｂ（粘着面７Ａ）が生成されることとなる。このため、利用者は、プロジェクタ１を所定期間、使用し、複数の粘着シート７２１１のうち塵埃捕捉部材７の表面に位置する粘着シート７２１１Ａの粘着力が低減した際に、該粘着シート７２１１Ａを剥がすことで、新たな粘着シート７２１１Ｂ（粘着面７Ａ）を生成できる。したがって、塵埃捕捉部材７全体を交換する必要がなく、粘着シート７２１１を１枚ずつ剥がすことで対応でき、利便性の向上が図れる。
また、複数の粘着シート７２１１は、蛇腹状に形成され、粘着面７Ａが凹凸形状を有する。このことにより、粘着面７Ａの表面積を増加させ、塵埃の捕捉量を向上させることができる。
【００５３】
なお、本発明は前述の実施形態に限定されるものではなく、本発明の目的を達成できる範囲での変形、改良等は本発明に含まれるものである。
前記実施形態では、塵埃捕捉部材７として、塵埃を付着させるための粘着剤が塗布された粘着物で構成していたが、これに限らず、塵埃を捕捉可能とする部材であれば、いずれの部材でもよく、例えば、塵埃を静電的に吸着するための静電吸着物（帯電体）等を採用しても構わない。
【００５４】
前記実施形態において、塵埃捕捉部材７の配設位置は、前記実施形態で説明した配設位置に限らず、光学部品用筐体４６外部において、空気流通用開口部４６１１を介して光学部品用筐体４６内部に向かう塵埃を捕捉可能であれば、その他の位置、例えば、光束通過用開口部２２３等の外装筐体２に形成される隙間を閉塞するように配設しても構わない。この際、塵埃捕捉部材としては、外装筐体２内部に配設する他、外装筐体２外部に配設しても構わない。
また、前記実施形態では、塵埃捕捉部材７としては、空気流通用開口部４６１１を介して光学部品用筐体４６内部に向かう塵埃を捕捉する構成としていたが、これに限らず、空気流通用開口部４６２１を介して光学部品用筐体４６内部に向かう塵埃を捕捉する構成、すなわち、アッパーケース２１に配設する構成を採用しても構わない。
さらに、前記実施形態では、塵埃捕捉部材７は、第１の塵埃捕捉部材７１、および２つの第２の塵埃捕捉部材７２の３つで構成されていたが、その数は、特に限定されず、１つでも、２つでも、４つ以上でも構わない。
【００５５】
前記実施形態では、空気流通用開口部４６１１，４６２１は、光学装置４５に対応して形成されていたが、これに限らず、その他の光学部品４２〜４４、または光源装置４１に対応して空気流通用開口部を形成し、該空気流通用開口部を介して光学部品用筐体内部に向かう塵埃を塵埃捕捉部材にて捕捉する構成としても構わない。
【００５６】
前記実施形態では、塵埃捕捉部材本体７２１を構成する複数の粘着シート７２１１は、蛇腹状に形成されていたが、これに限らず、その他の形状、例えば、平面形状、複数のディンプルが形成された形状等で構成しても構わない。
また、粘着シート７２１１に塗布する粘着剤としては、粘着面７Ａに一様に塗布する構成の他、例えば、渦巻き状に塗布したり、格子状に塗布したりしても構わない。このように粘着剤を塗布すれば、粘着シート７２１１を剥がしやすい構成を実現できる。
さらに、塵埃捕捉部材７の表面に位置する粘着シート７２１１Ａの交換時期としては、例えば、プロジェクタ１内部の前記制御基板にてプロジェクタ１の使用時間を計測し、所定の時間が経過した際に、交換時期を外部に報知する構成を採用しても構わない。なお、外部に報知する構成としては、液晶パネル４５１に交換時期を知らせるメッセージを含んだ画像光を形成させスクリーン上に投影画像として表示する構成や、外装筐体２にＬＥＤ(Light Emitting Diode)等の固体発光素子を配設しておき固体発光素子の点灯により交換時期を知らせる構成等が例示できる。
【００５７】
前記実施形態では、支持部材７２２は、ゴム等の所定の弾性率を有する弾性部材で構成されていたが、これに限らず、支持部本体７２２１と一対の突条部７２２１Ｂ，７２２１Ｃとを別体で構成し、一対の突条部７２２１Ｂ，７２２１Ｃのみを弾性部材で構成しても構わない。
【００５８】
前記実施形態では、光源装置４１は、放電発光型の光源装置で構成していたが、これに限らず、レーザダイオード、ＬＥＤ、有機ＥＬ(Electro Luminescence)素子、シリコン発光素子等の各種固体発光素子を採用してもよい。
また、前記各実施形態では、光源装置４１を１つのみ用い色分離光学装置４３にて３つの色光に分離していたが、色分離光学装置４３を省略し、３つの色光をそれぞれ射出する３つの前記固体発光素子を光源装置として構成してもよい。
【００５９】
前記実施形態では、プロジェクタ１は、液晶パネル４５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記実施形態では、光入射面と光射出面とが異なる透過型の液晶パネルを用いていたが、光入射面と光射出面とが同一となる反射型の液晶パネルを用いてもよい。
前記実施形態では、光変調装置として液晶パネルを用いていたが、マイクロミラーを用いたデバイスなど、液晶以外の光変調装置を用いてもよい。この場合は、光束入射側および光束射出側の偏光板４５２，４５３は省略できる。
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【産業上の利用可能性】
【００６０】
本発明は、光学部品を良好に冷却でき、かつ、投影画像を良好に維持できるため、プレゼンテーションやホームシアタに用いられるプロジェクタとして利用できる。
【図面の簡単な説明】
【００６１】
【図１】本実施形態におけるプロジェクタの内部を示す斜視図。
【図２】前記実施形態におけるロアーケースの構成を示す斜視図。
【図３】前記実施形態における光学ユニットの光学系を模式的に示す図。
【図４】前記実施形態における塵埃捕捉部材の配設位置を模式的に示す図。
【図５】前記実施形態における塵埃捕捉部材の構成を示す図。
【図６】前記実施形態における塵埃捕捉部材の構成を示す図。
【符号の説明】
【００６２】
１・・・プロジェクタ、２・・・外装筐体、３・・・投射レンズ（投射光学装置）、７・・・塵埃捕捉部材、７Ａ・・・粘着面、４１・・・光源装置、４６・・・光学部品用筐体、２２１・・・吸気口、２２２・・・部材挿通用開口部、２２３・・・光束通過用開口部、４５１・・・液晶パネル（光変調装置）、７２１・・・塵埃捕捉部材本体、７２２・・・支持部材、４６１１，４６２１・・・空気流通用開口部、７２１１・・・粘着シート、７２２１・・・支持部本体、７２２１Ｂ，７２２１Ｃ・・・突条部（閉塞部）、７２２２・・・把持部。
【図１】
2008170854.tif 000003
【図２】
2008170854.tif 000004
【図３】
2008170854.tif 000005
【図４】
2008170854.tif 000006
【図５】
2008170854.tif 000007
【図６】
2008170854.tif 000008